(57)【要約】    【課題】  小サイズ用紙を同時に複数枚画像形成して生産性を向上させるとともに画像形成後の用紙を容易に取り扱うことのできる画像形成装置を提供する。    【解決手段】  並列給送した複数枚の用紙に画像を形成し、その並列給送した用紙Ｐ１，Ｐ１を排紙部に設けた上側トレイ２１と下側トレイ２２とに排出する。上側トレイ２１には貫通搬送路２９が設けられており、また、ガイド板４３と搬送ローラ３０とが備えられる。上側トレイ２１に排出された用紙は、ソレノイドに連結された用紙押圧部材４５によって押されて貫通搬送路２９に導かれ、貫通搬送路２９を通って下側トレイ２２に排出された用紙上に落下して積層される。    【選択図】      図１０
2006251648.tif 000002
【特許請求の範囲】
【請求項１】
画像形成可能な最大サイズの用紙束を収納する用紙収納手段内に、前記最大サイズの用紙の１／４以下の用紙束を複数セット可能に設け、
該複数セット分の用紙束に対応する給紙手段を前記用紙収納手段に対して設け、
前記最大サイズの用紙の１／４以下の用紙を同時に複数枚前記用紙収納手段から並列給送して画像形成可能な画像形成装置であって、
前記並列給送した複数枚の用紙を画像形成後に上下に積層可能なことを特徴とする画像形成装置。
【請求項２】
前記並列給送した複数枚の用紙が上下に積層されて排紙部に載置されることを特徴とする、請求項１に記載の画像形成装置。
【請求項３】
前記排紙部に上下に積層されて載置される用紙の位置は、当該画像形成装置の前後方向の手前側であることを特徴とする、請求項２に記載の画像形成装置。
【請求項４】
前記排紙部が、当該画像形成装置の胴体内に設けられた胴内排紙部であることを特徴とする、請求項３に記載の画像形成装置。
【請求項５】
前記用紙収納手段内に複数セットされる用紙束は当該画像形成装置の前後方向に並んでセットされることを特徴とする、請求項３に記載の画像形成装置。
【請求項６】
前記排紙部に上側トレイと下側トレイを有し、前記上側トレイに排出した用紙を前記下側トレイに排出した用紙上に積層させることを特徴とする、請求項２〜４のいずれか１項に記載の画像形成装置。
【請求項７】
前記上側トレイに排出した用紙を前記下側トレイに導く用紙搬送路を、前記上側トレイに貫通して設けたことを特徴とする、請求項６に記載の画像形成装置。
【請求項８】
前記上側トレイに貫通して設けた用紙搬送路に用紙搬送手段を配置したことを特徴とする、請求項７に記載の画像形成装置。
【請求項９】
前記上側トレイから突出する位置と前記上側トレイに沿った位置とに移動可能な用紙案内部材を、前記用紙搬送路の入り口近傍に設けたことを特徴とする、請求項６または７に記載の画像形成装置。
【請求項１０】
前記上側トレイに排出した用紙を前記用紙搬送路方向に押圧する用紙押圧手段を有することを特徴とする、請求項７〜９のいずれか１項に記載の画像形成装置。
【請求項１１】
形成すべき画像のサイズ及び枚数を判定する判定手段と、前記最大サイズの用紙の１／４以下の用紙複数枚に対応する画像を書き込みデータとして再配置する再配置手段とを有することを特徴とする、請求項１に記載の画像形成装置。
【請求項１２】
前記再配置手段は、前記用紙複数枚に対応する画像データの再配置位置を用紙位置とは独立して調整可能なことを特徴とする、請求項１１に記載の画像形成装置。
【発明の詳細な説明】
【技術分野】
【０００１】
本発明は、複写機、プリンタ、ファクシミリ等の画像形成装置に関するものである。
【背景技術】
【０００２】
【特許文献１】特許第３１８６１５７号公報
【特許文献２】特許第３４３４９４８号公報
【特許文献３】特開平５−５８４６６号公報
【０００３】
用紙サイズがＡ２、Ａ０等の広幅の画像形成装置は、主な用途は新聞や新聞広告、設計図面等の特殊用途で使われる。しかしながら、そのような画像形成装置においては、それ以下のサイズであるＡ３サイズやＡ４サイズの一般文書にも兼用で利用されている。例えばＡ２サイズの画像形成装置を例にとると、Ａ２サイズのプリント速度が１分間に２０枚の速度だと仮定すると、用紙搬送速度は大サイズの場合も小サイズの場合も一定であるためＡ４のプリント速度は紙間距離を５０ｍｍ離したとすると１分間に３４枚程度のプリント速度になる。
２０×５９４ｍｍ÷（２９７ｍｍ＋５０ｍｍ）＝３４．２（枚／分）
５９４ｍｍ：Ａ２用紙長手サイズ
２９７ｍｍ：Ａ４用紙長手サイズ
５０ｍｍ ：紙間距離
小サイズのプリントでも思ったほどプリント速度は上がらない。
【０００４】
また、例えば特許文献１及び２には、同一カセット内に複数の用紙束を積載して給紙可能なものが開示されている。さらに、特許文献３には、封筒や葉書等の狭幅の用紙を左右（給紙方向に向かって）に分けて積載し、別々に給紙できるようにした給紙装置が開示されている。
【発明の開示】
【発明が解決しようとする課題】
【０００５】
しかしながら、上記各特許文献に記載のものはいずれも小サイズ用紙のプリント速度を向上させるものではなく、従来の広幅の画像形成装置において小サイズ用紙を使用する場合には、プリント速度が遅く生産性が良くなかった。また、同一カセット内に積載した複数の用紙束から給紙した場合のプリント物の取り扱い性が良くないという問題もあった。
【０００６】
本発明は、従来の広幅の画像形成装置における上述の問題を解決し、小サイズ用紙を同時に複数枚画像形成して生産性を向上させるとともに画像形成後の用紙を容易に取り扱うことのできる画像形成装置を提供することを課題とする。
【課題を解決するための手段】
【０００７】
前記の課題は、本発明により、画像形成可能な最大サイズの用紙束を収納する用紙収納手段内に、前記最大サイズの用紙の１／４以下の用紙束を複数セット可能に設け、該複数セット分の用紙束に対応する給紙手段を前記用紙収納手段に対して設け、前記最大サイズの用紙の１／４以下の用紙を同時に複数枚前記用紙収納手段から並列給送して画像形成可能な画像形成装置であって、前記並列給送した複数枚の用紙を画像形成後に上下に積層可能なことにより解決される。
【０００８】
前記並列給送した複数枚の用紙が上下に積層されて排紙部に載置されると好適である。
前記排紙部に上下に積層されて載置される用紙の位置は、当該画像形成装置の前後方向の手前側であると好適である。
【０００９】
前記排紙部が、当該画像形成装置の胴体内に設けられた胴内排紙部であると好適である。
前記用紙収納手段内に複数セットされる用紙束は当該画像形成装置の前後方向に並んでセットされると好適である。
【００１０】
前記排紙部に上側トレイと下側トレイを有し、前記上側トレイに排出した用紙を前記下側トレイに排出した用紙上に積層させると好適である。
前記上側トレイに排出した用紙を前記下側トレイに導く用紙搬送路を、前記上側トレイに貫通して設けると好適である。
【００１１】
前記上側トレイに貫通して設けた用紙搬送路に用紙搬送手段を配置すると好適である。
前記上側トレイから突出する位置と前記上側トレイに沿った位置とに移動可能な用紙案内部材を、前記用紙搬送路の入り口近傍に設けると好適である。
【００１２】
前記上側トレイに排出した用紙を前記用紙搬送路方向に押圧する用紙押圧手段を有すると好適である。
形成すべき画像のサイズ及び枚数を判定する判定手段と、前記最大サイズの用紙の１／４以下の用紙複数枚に対応する画像を書き込みデータとして再配置する再配置手段とを有すると好適である。
【００１３】
前記再配置手段は、前記用紙複数枚に対応する画像データの再配置位置を用紙位置とは独立して調整可能であると好適である。
【発明の効果】
【００１４】
本発明の画像形成装置によれば、並列給送した複数枚の用紙を画像形成後に上下に積層可能なので、排出後の用紙の取り扱いが容易になる。また、複数枚の用紙に同時に画像形成できることにより生産性を向上させることができる。
【００１５】
請求項２の構成により、並列給送した複数枚の用紙が上下に積層されて排紙部に載置されるので、並列給送した複数枚の用紙を排紙部において帳合することができ、用紙の取り扱いが容易になる。
【００１６】
請求項３の構成により、排紙部に上下に積層されて載置される用紙の位置は、当該画像形成装置の前後方向の手前側であるので、排紙部からの用紙の取り出しが容易になる。
【００１７】
請求項４の構成により、排紙部が当該画像形成装置の胴体内に設けられた胴内排紙部であるので、胴内排紙部からの用紙の取り出しが容易になる。
請求項５の構成により、用紙収納手段内に複数セットされる用紙束は当該画像形成装置の前後方向に並んでセットされるので、装置前後方向に並んで給紙される複数枚の用紙を上下に積層することができ、排出後の用紙の取り扱いが容易になる。
【００１８】
請求項６の構成により、排紙部に上側トレイと下側トレイを有し、上側トレイに排出した用紙を下側トレイに排出した用紙上に積層させるので、並列給紙された用紙を一つのトレイ上に積層して載置することができ、排出後の用紙の取り扱いが容易になる。
【００１９】
請求項７の構成により、上側トレイに排出した用紙を下側トレイに導く用紙搬送路を上側トレイに貫通して設けたので、上側トレイに排出した用紙を下側トレイに導いて下側トレイに排出した用紙上に積層させることができる。
【００２０】
請求項８の構成により、上側トレイに貫通して設けた用紙搬送路に用紙搬送手段を配置したので、上側トレイに排出した用紙を確実に下側トレイに導くことができる。
【００２１】
請求項９の構成により、上側トレイから突出する位置と上側トレイに沿った位置とに移動可能な用紙案内部材を、用紙搬送路の入り口近傍に設けたので、上側トレイに排出した用紙を確実に用紙搬送路に案内することができる。
【００２２】
請求項１０の構成により、上側トレイに排出した用紙を用紙搬送路方向に押圧する用紙押圧手段を有するので、上側トレイに排出した用紙を確実に用紙搬送路に送ることができる。
【００２３】
請求項１１の構成により、形成すべき画像のサイズ及び枚数を判定する判定手段と、最大サイズの用紙の１／４以下の用紙複数枚に対応する画像を書き込みデータとして再配置する再配置手段とを有するので、最大サイズの用紙の１／４以下の用紙複数枚に対して同時に画像形成することが実現できる。
【００２４】
請求項１２の構成により、再配置手段は用紙複数枚に対応する画像データの再配置位置を用紙位置とは独立して調整可能なので、複数の小サイズ用紙（最大サイズの用紙の１／４以下の用紙）にレジストずれすることなく画像を形成することができ、小サイズ用紙に対するプリント・コピー速度を向上させ、生産性を高めることができる。
【発明を実施するための最良の形態】
【００２５】
以下、本発明の実施の形態を図面に基づいて説明する。
図１は、本発明に係る画像形成装置の一例であるデジタル複写機の概略構成を示す断面図である。この図に示す複写機１００は、装置の上部にスキャナ１を備え、プリンタ部２との間に胴内排紙部３を設けている。装置下部は給紙部４となっており、該給紙部４から給送した転写紙等にプリンタ部２でプリントし、胴内排紙部３に排出する。
【００２６】
スキャナ１は、露光ランプ，ミラー群，レンズ，ＣＣＤイメージセンサ等々で構成される走査光学系を有している。コンタクトガラス上に載置された原稿画像は、ＣＣＤイメージセンサによって読み取られ、電気信号（アナログ画像信号）に変換され、そしてデジタルデータ（画像データ）に変換される。その画像データには更に所定の画像処理が施される。なお、圧板に代えてＡＤＦ（原稿自動送り装置）を取り付けることも可能である。
【００２７】
プリンタ部２では、上方にレーザ書込みユニット５を配置し、その下に感光体ドラム６を中心とする作像部が設けられている。感光体ドラム６の周囲には、電子写真プロセスに必要な帯電器，現像装置，転写装置，クリーニング装置，除電器等の各機器が配置されている。その作像部の図において左方には、定着装置７が配置されている。感光体ドラム６と定着装置７は、転写装置を兼ねる転写搬送ベルト８で連絡されている。また、プリンタ部２の最下部には、定着後の用紙表裏を反転させる両面ユニット９が配設されている。
【００２８】
レーザ書込みユニット５は、レーザ出力ユニット，結像レンズおよびミラー等で構成され、レーザ光源であるレーザダイオード及びモータによって高速で定速回転する回転多面鏡（ポリゴンミラー）を有している。レーザ出力ユニットより照射されるレーザ光は、定速回転するポリゴンミラーで偏光され、結像レンズを通り、ミラーで折り返され、作像部の感光体面上に集光結像する。
【００２９】
給紙部４には、５段の給紙カセット１１〜１５が備えられている。本例では最大用紙サイズはＡ２サイズであり、下３段の給紙カセット１３，１４，１５がＡ２サイズまでの用紙を収納可能である。上２段の給紙カセット１１，１２にはＡ３サイズまでの用紙を収納可能である。上２段の給紙カセット１１，１２は、下３段の給紙カセット１３，１４，１５よりも収納枚数が多いものである。各給紙カセットに対応してそれぞれ給紙手段１６が配設されている。給紙手段１６は呼び出しコロ，給紙ローラ及び逆転ローラ（分離ローラ）によって構成されている。また、給紙手段１６によって送出された用紙は、縦搬送路中の適所に配置された搬送ローラ１７によって上方に搬送され、レジストローラ１０へと送られる。
【００３０】
上記のように構成されたデジタル複写機１００における複写動作について簡単に説明する。
コンタクトガラス上に置かれた原稿はスキャナ１によって読み取られ、原稿画像がデジタルデータに変換された後に所定の画像処理が施される。その画像データに基づいて書き込みユニット５のレーザ出力ユニットが駆動され、書き込みユニット５からのレーザー光によって感光体ドラム６に書き込まれる。
【００３１】
感光体ドラム６は帯電器により所定の電位に帯電されており、書き込みユニット５からのレーザー光が照射されることにより感光体上に静電潜像が形成される。その静電潜像に現像装置よりトナーが付与されてトナー像として可視化される。
【００３２】
一方、給紙部の給紙カセット１１〜１５のいずれかより用紙が給紙手段１６及び搬送ローラ１７によりレジストローラ１０へ給送されており（裏面記録の場合は両面ユニット９からレジストローラ１０へ用紙が給送される）、感光体６上のトナー像とタイミングを合わせてレジストローラ１０より用紙が転写部へ送出される。転写装置により感光体６上のトナー像が用紙上に転写され、トナー像を担持した用紙が定着装置７へ搬送される。定着装置７において加熱及び加圧によりトナー像が用紙に定着され、その後用紙は胴内排紙部３へと排出される。
【００３３】
本例では、胴内排紙部３には上側トレイ２１及び下側トレイ２２が設けられている。その２つのトレイに用紙を選択的に排出させるため、図２に示すように、排紙部手前で用紙搬送路は２つに分岐され、その分岐部に切換爪２０が配置されている。切換爪２０は軸２３を中心に揺動可能に設けられ、後述するソレノイドにより図に実線で示す位置と仮想線で示す位置とに移動する。切換爪２０が実線の位置にあるときには用紙は排出ローラ１９により下側トレイ２２に排出され、切換爪２０が仮想線の位置に切り換えられると用紙は排出ローラ１８により上側トレイ２１に排出される。なお、本例では、切換爪２０は用紙搬送基準（本例では中央基準）を中心に装置手前側と装置後側の２分割（２系統）の構成となっているが、これについては後述する。
【００３４】
さて、本例のデジタル複写機１００は、最大用紙サイズとしてＡ２（縦）に対応する広幅の画像形成装置であるが、もちろんＡ２よりも小さなサイズの用紙も使用可能である。そして、小サイズシートを２枚同時に作像部に給送して画像形成可能に構成されている。これを可能にするため、Ａ２カセット１３〜１５には、Ａ２用紙の４分の１以下のサイズの用紙を２列収納可能となっている。Ａ２カセット１３〜１５にＡ２用紙の４分の１以下のサイズの用紙を２列収納する場合の様子を図３に示す。なお、以下の説明では、符号の煩雑を避けるために、カセット１３にＡ２用紙の４分の１以下のサイズの用紙を２列収納するものとして説明する。
【００３５】
図３において、矢印Ｃは給紙方向を示しており、この給紙方向Ｃは、図１の給紙部４においては図の左から右方向が給紙方向である。図３に示すように、Ａ２カセット１３内には、Ａ２サイズの用紙Ｐ２が短辺を給紙方向に面してセット可能であるが、その４分の１以下のサイズの用紙（ここではＡ４サイズ）Ｐ１を２列並べて収納可能にしてある。小サイズ用紙を２列並べて収納する場合、Ａ５サイズ以下の用紙であればその長辺を給紙方向に面してセット可能であるが、それ以上（Ａ４まで）のサイズの用紙の場合は短辺を給紙方向に面してセットする必要がある。
【００３６】
上記のように、Ａ２カセット１３内に並列セットした小サイズ用紙を給紙可能とするため、本例においては、図４に示すように、１段のＡ２カセットに対して２セット（１対）の給紙手段を備えている。図４において、２列並べてカセット内に収納されたＡ４サイズの用紙束Ｐ１は、２セットの給紙手段１６により矢印Ｃ方向に給紙される。ここでは並列セットする小サイズ用紙としてＡ４サイズのもので説明するが、もちろん、Ａ４サイズ以下の用紙であればセット可能である。なお、他のＡ２カセット１４，１５およびそれに対応する給紙手段１６についても、カセット１３の場合と同じである。
【００３７】
図５は、Ａ２カセット１３を給紙方向の後側（図１の左側）から見た断面図で、（ａ）はＡ４サイズの用紙Ｐ１を並列セットした場合、（ｂ）はＡ２サイズの用紙Ｐ２をセットした場合を示している。（ａ）に示すように、小サイズ用紙を並列セットする場合は、各用紙束の間に中央規制部材３６をカセット底板に装着可能に構成されている。各用紙束の外側には、それぞれ端部規制部材３７，３７が設けられる。（ｂ）に示すように、Ａ２サイズの用紙Ｐ２をセットする場合は、用紙両側に端部規制部材３７，３７が設けられる。Ａ２サイズの用紙Ｐ２を給紙する場合は、図６に示すように、２セット（１対）の給紙手段１６を両方とも使用して給紙を行う。
【００３８】
また、図７，８に示すように、Ａ２カセット１３内には３枚の押上板３８ａ〜ｃが設けられており、これに対応する押上げ機構３９が画像形成装置本体側に設けられている。各押上板３８ａ〜ｃは、軸４２によりカセット底板に回動可能に取り付けられている。小サイズ用紙を押し上げるときには、外側の押上板３８ａ，ｂが用いられ、Ａ２サイズの用紙を押し上げるときには、３枚の押上板すべてが用いられる。すなわち、中央に位置する押上板３８ｃは、幅方向（図７の上下方向）において両外側の押上板３８ａ，ｂと重なるように設けられており、押上板３８ｃが加圧レバー４１により押し上げられると、３枚の押上板すべてが上昇される。また、外側の押上板３８ａ，ｂは、加圧レバー４０ａ，ｂにより押し上げられる。
【００３９】
加圧レバー４０ａ，ｂと４１は、一本の軸３９ａの反対側に（約１８０度の関係で）それぞれ固定され、装置本体側に回動可能に支持されており、図示しない駆動機構により回動（揺動）される。そして、Ａ２カセット１３を装置本体にセットしたときに、押上板３８ａ〜ｃの下に加圧レバー４０ａ，ｂ及び４１が位置するよう設けられている。カセット側には図示しない切り欠きが有り、その切り欠きから加圧レバー４０ａ，ｂまたは加圧レバー４１がカセット内に進入して各押上板を押し上げる。小サイズ用紙用の押上板３８ａ，ｂを押し上げるときは、軸３９ａが図８において反時計回りに回動され、また、Ａ２サイズ用の押上板３８ｃを押し上げるときは、軸３９ａが図８において時計回りに回動される。Ａ２サイズの用紙Ｐ２を押し上げるときは、３枚の押上板３８ａ〜ｃによってＡ２用紙のほぼ全幅が押し上げられる。
【００４０】
押上板３８ａ，ｂまたは３８ａ〜ｃによって用紙束が押し上げられると、最上位の用紙が呼び出しコロ３１（図４参照）に当接されて呼び出される。そして、給紙ローラ３２及び逆転ローラ（分離ローラ）３３によって１枚に分離されて給送される。カセット１３から送り出されたＡ２用紙または小サイズ用紙は、搬送ローラ１７によってレジストローラ１０へと給送され、レジストローラ１０に突き当たって一端停止する。そして、画像の出力タイミングにしたがってレジストローラ１０が回転し、画像と用紙の位置が合うように送出される。小サイズ用紙の場合は２枚が同時に給紙されるものであり、転写・定着も２枚同時に行われ、排紙トレイに同時に排出される。
【００４１】
前出の分岐爪２０は図９に示すように構成されている。すなわち、回転軸２３が画像形成装置の前側板５１と後側板５２に回転可能に支持されている。分岐爪２０は複数枚から構成されており、装置前側の分岐爪２０ａは軸２３に直接固定されており、第１ソレノイド２４によりリンク部材２５を介して揺動される。装置後側の分岐爪２０ｂは軸２３に挿入されて同一中心軸で回転可能なスリーブ２８上に固定されており、第２ソレノイド２６によりリンク部材２７を介して揺動される。したがって、前側分岐爪２０ａと後側分岐爪２０ｂは、独立して制御可能な２系統に構成されている。もちろん、第１ソレノイド２４と第２ソレノイド２６を同時に制御して前後分岐爪２０ａ，ｂに同じ動作をさせることも可能である。
【００４２】
Ａ２サイズ等の大きいサイズの用紙を排出する場合は、第１及び第２ソレノイド２４，２６の両方を駆動して、前後分岐爪２０ａ，ｂが同じ動きをして用紙は上側トレイ２１又は下側トレイ２２に排出される。
【００４３】
そして本例においては、Ａ４用紙等、小さいサイズの用紙が並列で搬送されてきた場合、すなわち、Ａ２カセット１３〜１５のいずれかに小サイズ用紙を並列収納して、そこから２枚の用紙を同時に給紙したコピー・プリント時には、第１ソレノイド２４を駆動しないことによって前側分岐爪２０ａは図２の実線位置にあり、手前側の用紙（Ａ２カセット内において装置手前側にセットされた用紙）は下側トレイ２２に排出される。一方、第２ソレノイド２６は駆動され、後側分岐爪２０ｂは図２の仮想線の位置に切り換えられ、奥側の用紙（Ａ２カセット内において装置奥側にセットされた用紙）は上側トレイ２１に排出される。上側トレイ２１と下側トレイ２２にそれぞれ用紙が排出された様子を図１０に示す。
【００４４】
図１０は、排紙部３における上側トレイ２１及び下側トレイ２２を、図１の左方から見た様子を示すもので、上側トレイ２１に排出された奥側用紙は、図１０では上側トレイ２１の左側に位置している。また、下側トレイ２２に排出された奥側用紙は、図１０では下側トレイ２２の右側に位置している。
【００４５】
また、図１０に示すように、上側トレイ２１には、トレイ上面から下面に貫通する貫通搬送路２９が設けられており、その途中に搬送ローラ３０が配置されている。貫通搬送路２９は装置奥側から手前側に斜めに形成されており、トレイ上面の搬送路入口は装置前後方向において上側トレイ２１のほぼ中央に位置して開口している。トレイ下面の搬送路出口は、搬送路入口よりも手前側に位置して開口している。貫通搬送路２９の入口開口部にはガイド板４３が揺動可能に設けられている。このガイド板４３は、図示しない駆動機構によって、その先端部を上側トレイ２１の上面から突出させて貫通搬送路２９を開口させる位置と、その先端部が上側トレイ２１の上面に沿って貫通搬送路２９を閉鎖する位置とに移動できるようになっている。
【００４６】
そして、上側トレイ２１内には、ソレノイド４４及び用紙押圧部材４５が配設されている。用紙押圧部材４５は“Ｌ”字形をしており、上端部をトレイ上面から突出させている。通常時、用紙押圧部材４５とトレイ奥側側面とに掛け渡された引張スプリング４６によって、用紙押圧部材４５上端はトレイ奥側に位置しており、用紙の排出に邪魔にならないようになっている。
【００４７】
ソレノイド４４が駆動されると、引張スプリング４６の引っ張り力に抗してソレノイドのアームが引き込まれ、用紙押圧部材４５を図の右方向に移動させる。それにより、用紙押圧部材４５のトレイ上面から突出した押圧部が用紙側面を押して、上側トレイ２１上に排出された用紙を図の右方向に移動させる。このとき、ガイド板４３が貫通搬送路２９を開口させる位置に突出していることにより、用紙前側側面がガイド板４３に当接し、用紙は貫通搬送路２９内に導かれる。すると用紙先端（前側側面）が搬送ローラ３０にくわえ込まれて搬送され、上側トレイ２１上に排出された用紙は貫通搬送路２９を通って下側トレイ２２上に（下側トレイ２２に排出された用紙上に）落下する。下側トレイ２２の装置手前側端部には、用紙の落下を防止する立ち上げ部２２ａが設けられている。これにより、上側トレイ２１から下側トレイ２２上に落下した用紙がトレイ前端から落ちないようにしている。
【００４８】
本例では、上側トレイ２１に排出された用紙は、トレイに排出された時点で（排出が完了するとすぐに）下側トレイ２２上に落下され、下側トレイ２２に排出された用紙上に重ねられて帳合される。ソレノイド４４の駆動タイミングは用紙サイズに基づく用紙搬送時間によって決定できる。上側トレイ２１への用紙排出完了を検知するセンサを、例えば排出ローラ１８近傍に配置しても良い。
【００４９】
次に、画像データの取り扱いについて図１１，１２を参照して説明する。
本例の画像形成装置は図１に示すようにスキャナ１を備えているが、外部装置（パソコン等）からの出力データによるプリント機能やファクシミリ機能を備えた複合機として構成されてもよい。複写機として動作する場合、画像データはスキャナ１から入力される。プリンタとして動作する場合、画像データは複写機１００に直接接続された外部装置、あるいはネットワークなどを介して接続された外部装置から入力される。ファクシミリとして動作する場合、画像データは通信回線を介して入力される。いずれの場合も、画像データと同時あるいは画像データの直前に画像サイズや枚数等の情報も送られてくる。入力された画像データは、画像処理部１０１が有する画像メモリ１０２に記憶される。
【００５０】
入力された画像データの画像サイズや枚数は判定部１０３によって判定され、小サイズ、ここではＡ４サイズの画像データが送られてきた場合は、図１１に示すように、Ａ４サイズで複数枚の場合はデータ再配置部１０４によって最終出力メモリ（最大用紙サイズの画像データに対応できるものである）１０５内にＡ４サイズのデータが複数（２つ）直列に配列される。このときのデータ配置は、カセット内の用紙配置に合うように調整可能となっている（画像データの再配置位置を、用紙位置とは独立して調整することができる）。
【００５１】
一方、Ａ２サイズの画像データが入力された場合は、図１２に示すように、判定部１０３によって画像サイズが判定され、データ再配置部１０４はそのまま（再配置せずに）データを最終出力メモリ１０５に受け渡す。
【００５２】
そして、小サイズ画像の場合もＡ２サイズ画像の場合も、ラインメモリとしての最終出力メモリ１０５から書込みデータとしてプリントエンジン（書込み装置部）１０６にデータが出力される。
【００５３】
図１３は、本発明に係る画像形成装置の別例であるデジタルカラー複写機の概略構成を示す断面図である。前記実施例のデジタル複写機１００と同等の部分には同じ符号を付して説明する。
【００５４】
この図に示すカラー複写機２００は、装置の上部にスキャナ１を備え、プリンタ部２との間に排紙部３を設けている。装置下部は給紙部４となっており、該給紙部４から給送した転写紙等にプリンタ部２でプリントし、排紙部３に排出する。
【００５５】
スキャナ１の構成は前記実施例のデジタル複写機１００と同様である。
本例においては、プリンタ部２はいわゆるタンデム型のフルカラー装置として構成され、感光体ドラム６の周囲に電子写真プロセスに必要な帯電器，現像装置，転写装置，クリーニング装置，除電器等の各機器を配置した作像ユニットＳＵを４つ（４色分）有している。その４つの作像ユニットＳＵは、中間転写ベルト２０１の下辺に沿って並設されている。各作像ユニットＳＵの構成は同一であり、扱う現像剤の色がシアン、マゼンタ、イエロー、ブラックの４色に異なっている。各色トナーはトナー収容部２０３のトナーボトルに収容されており、図示しない搬送機構（本例では粉体ポンプを用いる）により各作像ユニットＳＵの現像装置に送られる。
【００５６】
本例におけるレーザ書込みユニット５は４つの作像ユニットＳＵの下方に配置されており、各色に対応して光変調されたレーザ光を各色作像ユニットの感光体ドラム６の表面に照射する。
【００５７】
本例のカラー複写機２００では、各作像ユニットＳＵで形成したトナー像を、中間転写ベルト２０１上に重ね転写してフルカラー画像を形成し、これを給紙部４から給紙した転写紙等の用紙上に一括転写することでフルカラーコピー・プリントが可能になっている。もちろん、モノクロ画像の形成も可能である。
【００５８】
排紙部３には、前記実施例のデジタル複写機１００と同様に、上側トレイ２１及び下側トレイ２２が設けられている。その２つのトレイに用紙を選択的に排出させるため、用紙搬送路が２つに分岐され、その分岐部に切換爪２０が配置されていることも同様である。切換爪２０の構成も前記実施例の場合と同様である。また、上側トレイ２１の構成も図１０で説明した前記実施例の場合と同様であり、上側トレイ２１に排出した小サイズ用紙を下側トレイ２２に落下させて帳合できるように構成されている。
【００５９】
給紙部４には、本例では２段の給紙カセット１３，１４が備えられる。両カセットはＡ２サイズまでの用紙を収納可能であり、前記実施例のデジタル複写機１００と同様に、給紙カセット１３，１４にはＡ２用紙の４分の１以下のサイズの用紙を２列収納可能となっている。給紙カセット１３，１４の構成は前記実施例の場合と同様であり、１段のカセットに対して２セット（１対）の給紙手段を備えていることも同様である。
【００６０】
上記説明した２つの実施例の画像形成装置においては、出力画像サイズが装置における最大画像サイズの１／４以下である場合には、最大サイズの用紙を収容するカセット内に並列セットした小サイズ用紙を複数枚（実施例では２枚）、同時に給紙して同時に画像形成を行なうことにより、小サイズ用紙におけるコピー・プリント速度を格段に向上させて生産性を高めることができる。
【００６１】
そして、小サイズ用紙を複数枚同時に画像形成する場合、画像形成後の用紙を上下に重ねて積載することで、排出後の用紙の取り扱いが容易になる。すなわち、複数ページのコピー・プリント物が２つのトレイに互い違いにスタックされるのではなく、１つのトレイに１束のコピー・プリント物として出力順にスタックされるので、ページ合わせなどが必要でなく、取り扱いが容易である。
【００６２】
また、その１束のコピー・プリント物が胴内排紙部３において装置前面側に排出積載されることによって、ユーザによるコピー・プリント物の取り出しが容易である。
【００６３】
さらに、出力すべき画像サイズが小サイズ（最大サイズの１／４以下）の場合に、その小サイズ画像のデータを最大サイズの画像データを格納可能なラインメモリとしての最終出力メモリに複数個配置するデータ再配置手段を有することにより、複数の小サイズ画像の同時書き込みが実現できる。
【００６４】
また、複数の小サイズ画像を再配置する場合に、その画像データの再配置位置を用紙位置とは独立して調整することができるので、複数の小サイズ用紙に対してレジストずれのない画像を同時に形成できるので、小サイズ用紙における画像形成速度を向上させ、生産性を高めることができる。
【００６５】
以上、本発明を図示例により説明したが、本発明はこれに限定されるものではない。
例えば、図示例では最大用紙サイズをＡ２サイズとしたが、用紙サイズは一例であって、最大用紙サイズも小サイズも適宜変更可能である。また、図示例では小サイズ用紙の同時給紙枚数を２枚、すなわち２枚の並列としたが、小サイズ用紙を３列以上並列給紙可能とし、これに同時に画像形成可能とすることもできる。
【００６６】
また、画像形成装置各部の構成は任意であり、作像部の構成や給紙段の数なども任意である。もちろん、画像形成装置としては複写機に限らず、プリンタやファクシミリ、あるいは複数の機能を有する複合機でも構わない。
【図面の簡単な説明】
【００６７】
【図１】本発明に係る画像形成装置の一例であるデジタル複写機の概略構成を示す断面図である。
【図２】用紙搬送路の一部とそこに配置された切換爪を示す部分断面図である。
【図３】給紙カセットに小サイズ用紙を２列収納する場合の様子を示す模式図である。
【図４】その給紙カセットに設けられた給紙ユニットを示す斜視図である。
【図５】その給紙カセットに小サイズ用紙を２列、または大サイズ用紙をセットした様子を示す断面図である。
【図６】その給紙カセットで大サイズ用紙を給紙する様子を示す斜視図である。
【図７】その給紙カセットの用紙押上板を示す平面図である。
【図８】用紙押上げ機構を示す側面からの断面図及び正面からの断面図である。
【図９】図２の切換爪の構成を示す側面図である。
【図１０】上側トレイ及び下側トレイを示す側面図である。
【図１１】小サイズ用紙２枚に対する画像データの取り扱いを示すブロック図である。
【図１２】大サイズ用紙に対する画像データの取り扱いを示すブロック図である。
【図１３】本発明に係る画像形成装置の別例であるデジタルカラー複写機の概略構成を示す断面図である。
【符号の説明】
【００６８】
１            スキャナ
２            プリンタ部
３            胴内排紙部
４            給紙部
１３〜１５    Ａ２カセット
１６          給紙手段
２０          切換爪
２１          上側トレイ
２２          下側トレイ
２９          貫通搬送路
３０          搬送ローラ
４３          ガイド板
４５          用紙押圧部材
３８ａ〜ｃ    押上板
３９          押上げ機構
１００        デジタル複写機
２００        カラー複写機
【図１】
2006251648.tif 000003
【図２】
2006251648.tif 000004
【図３】
2006251648.tif 000005
【図４】
2006251648.tif 000006
【図５】
2006251648.tif 000007
【図６】
2006251648.tif 000008
【図７】
2006251648.tif 000009
【図８】
2006251648.tif 000010
【図９】
2006251648.tif 000011
【図１０】
2006251648.tif 000012
【図１１】
2006251648.tif 000013
【図１２】
2006251648.tif 000014
【図１３】
2006251648.tif 000015